(57)【特許請求の範囲】
【請求項１】
背凭れフレームの下端部から着座部フレームを延設してＬ字状に形成した左右一対のサイドフレームを互いに平行に所定間隔をあけて、連結してなる移動用椅子フレームと、下部に一対の前輪及び一対の後輪が固定され、その上部に前記移動用椅子フレームを支持する支持フレームが形成され、その後部に上方に向かって延びて形成されており、上端が後方に向けて差し出されるグリップが形成された背柱部が設けられる本体フレームと、
前記支持フレームの上部両側に固定され、上端に前記着座部フレームから側方に突出する突起を挿入可能な切り欠きが形成されるとともに、該切り欠きに前記突起を保持した状態で、当該切り欠きの上部を閉じるロック片が設けられており、当該ロック片を切り欠きを閉じる状態と開放する状態とに操作可能な操作部が設けられている固定機構とを備え、該固定機構は、矩形平板状に形成され、上部に２箇所の切り欠きが形成された板状体と、該板状体の前方側及び後方側に重なるように配置され、前記板状体に対して前後にスライド可能に固定され、前記ロック片が各々に形成された前後一対のスライド板と、該前後一対のスライド板を互いに接近する方向にそれぞれ付勢する２つのコイルばねと、前記一対のスライド板の間に回転可能に形成された操作軸と、該操作軸に固定され、前記一対のスライド板を離反させた状態で保持可能な長手形状の回転部材と、前記操作軸に固定されて外側に露出する操作片と、を備えることを特徴とする介護車。
【発明の詳細な説明】
【技術分野】
【０００１】
本発明は、着座部分が取り外し可能に形成された介護車に関し、特に、着座者が座ったまま介護車から着座部分である移動用椅子フレームを分離することができ、この移動用椅子フレームを所定の吊下げ装置により移動させることにより、介助者に負担を掛けることなしに排泄・入浴などすることができる介護車に関する。
【背景技術】
【０００２】
従来より、お年寄りや障害者などで自力歩行が困難な場合の移動手段として車椅子が用いられており、介助者が後方から押すことや着座者が後輪を手動で動かすことにより走行する手動車椅子や着座者の操作により駆動輪を電気的に動かすことにより走行する電気車椅子が知られている（特許文献１、特許文献２）。また、本願発明者は、自力でベットや車椅子などから便座や浴槽に移動することが困難な場合にも、介助者を頼ることなく排泄・入浴をすることが可能となる移動用椅子フレームを開発し開示している（特許文献３）。
【先行技術文献】
【特許文献】
【０００３】
【特許文献１】特開２０１０−６８８６１号公報
【特許文献２】特開２０１０−２４００１１号公報
【特許文献３】特開２０００−１２６２３８号公報
【発明の概要】
【発明が解決しようとする課題】
【０００４】
ところで、上述のような移動用椅子フレームを使用して、介助者に大きな負担をかけることなく自力でベットなどから介護車に移動したい要請がある。
【０００５】
本発明は、上述のような移動用椅子フレームを極めて容易に介助車に固定することができる介護車を提供することを目的とする。
【課題を解決するための手段】
【０００６】
請求項１に記載の介護車は、背凭れフレームの下端部から着座部フレームを延設してＬ字状に形成した左右一対のサイドフレームを互いに平行に所定間隔をあけて、連結してなる移動用椅子フレームと、下部に一対の前輪及び一対の後輪が固定され、その上部に前記移動用椅子フレームを支持する支持フレームが形成され、その後部に上方に向かって延びて形成されており、上端が後方に向けて差し出されるグリップが形成された背柱部が設けられる本体フレームと、
前記支持フレームの上部両側に固定され、上端に前記着座部フレームから側方に突出する突起を挿入可能な切り欠きが形成されるとともに、該切り欠きに前記突起を保持した状態で、当該切り欠きの上部を閉じるロック片が設けられており、当該ロック片を切り欠きを閉じる状態と開放する状態とに操作可能な操作部が設けられている固定機構とを備え、該固定機構は、矩形平板状に形成され、上部に２箇所の切り欠きが形成された板状体と、該板状体の前方側及び後方側に重なるように配置され、前記板状体に対して前後にスライド可能に固定され、前記ロック片が各々に形成された前後一対のスライド板と、該前後一対のスライド板を互いに接近する方向にそれぞれ付勢する２つのコイルばねと、前記一対のスライド板の間に回転可能に形成された操作軸と、該操作軸に固定され、前記一対のスライド板を離反させた状態で保持可能な長手形状の回転部材と、前記操作軸に固定されて外側に露出する操作片と、を備えることを特徴としている。
【発明の効果】
【０００７】
請求項１に記載の介護車によると、本体フレームの支持フレームの上部両側に上端に着座部フレームから側方に突出する突起を受ける切り欠きが形成されるとともに、この切り欠きに突起を保持した状態で、切り欠きの上部を閉じるロック片が設けられており、ロック片を切り欠きを閉じる状態と開放する状態とに操作可能な操作部が設けられている固定機構を備えるので、移動用椅子フレームを本体フレームにきわめて簡単に固定することができる。
【図面の簡単な説明】
【０００８】
【図１】本実施形態の介護車の全体構成を説明する側面図。
【図２】移動用椅子フレームの構成を説明する斜視図。
【図３】移動用椅子フレーム、前側フレーム及び後側フレームを分離した状態の介護車を説明する側面図。
【図４】移動用椅子フレームを前側フレームの支持フレームに取付ける前の状態を説明する側面図及びその一部拡大図。
【図５】（Ａ）は図４のａａ断面図、（Ｂ）は図８のｂｂ断面図（Ｃ）は図４のｃｃ断面図、（Ｄ）は図８のｄｄ断面図。
【図６】（Ａ）は図７のｅｅ断面図、（Ｂ）は図８のｆｆ断面図。
【図７】移動用椅子フレームを前側フレームの支持フレームに載置した状態を説明する側面図及びその一部拡大図。
【図８】移動用椅子フレームを前側フレームの支持フレームに載置し、ロック片により固定した状態を説明する側面図及びその一部拡大図。
【図９】本実施形態の介護車の前側フレームと後側フレームとを互いに抜出方向に移動させた状態を説明する側面図及びその一部拡大図。
【図１０】外嵌部材及び内挿部材の構成を説明する一部省略断面図。
【発明を実施するための形態】
【０００９】
以下、本発明の介護車１の最良の実施形態について、各図を参照しつつ説明する。なお、本実施形態においては、介助者が付き添って移動する介護車１として電動介護車を例に説明するが、本発明の実施形態は、大径の後輪を着座者が手動で回す手動の介護車であってもよい。介護車１は、図１に示すように、着座者が座る部分である移動用椅子フレーム２と、前輪３１が形成された前側フレーム３と、後輪４１が形成された後側フレーム４と、で構成されている。なお、前側フレーム３と後側フレーム４とは、連結部５により近接離反可能に連結されており、移動用椅子フレーム２と前側フレーム３とは、固定機構７により着脱自在に固定されている。
【００１０】
前記移動用椅子フレーム２は、図１から図３に示すように、着座者の背面側に延びる背凭れフレーム２１と、この背凭れフレーム２１の下端から湾曲して水平方向に延びる着座部フレーム２２と、によりＬ字状に形成した左右一対のサイドフレーム２３と、背凭れフレーム２１の中間部から前方に延びる肘置きフレーム２４と、着座部フレーム２２の先端から上方に向けて形成されるとともに、前記一対のサイドフレーム２３を連結する互いに平行に所定間隔をあけて設けられた連結フレーム２５と、により形成されている。そして左右一対のサイドフレーム２３の間にはベルト２９が複数架け渡されているので、着座者が当該ベルト２９に腰掛けて凭れかかることができる。着座部フレーム２２には側方に向かって突出する突起２６がそれぞれ２個づつ設けられている。また、連結フレーム２５及び背凭れフレーム２１の上端にはリング２７がそれぞれ溶接等により固定されており、これらリング２７に、それぞれ吊下げロープ２８の一端を固定し、同吊下げロープ２８の他端側を図示しないウインチ等で持ち上げることにより、着座者が着座した状態のまま、移動用椅子フレーム２全体をバランスよく持ち上げて移動させることができるものである。
【００１１】
前側フレーム３は、図２に示すように、下部に鉛直な軸に回転自在に取付けられる自在キャスターの前輪３１が左右にそれぞれ固定されている。そして、この前輪３１の上部には、連結部５の一端が固定される下部フレーム３２が形成されており、この下部フレーム３２の上部に移動用椅子フレーム２を支持する支持フレーム３３が形成されている。また、支持フレーム３３の前方には下向きに湾曲して脚部フレーム３４が形成されており、この脚部フレーム３４の先端にフットレスト３５が設けられている。支持フレーム３３の後部には、背凭れフレーム２１に当接する補強フレーム３６が上方に向けて延びて形成されている。
【００１２】
支持フレーム３３の上部両側には、固定機構７が設けられている。固定機構７は、図４から図８に示すように、矩形平板状に形成されている。この固定機構７は、下部が支持フレーム３３に例えばネジ又は溶接等で固定され、上部に２箇所の切り欠き７１が形成された板状体７２と、該板状体７２の前方側及び後方側に重なるように配置され、板状体７２に対して前後にスライド可能に固定された前後一対のスライド板７３と、前後一対のスライド板７３を互いに接近する方向にそれぞれ付勢する２つのコイルばね７４と、一対のスライド板７３の間に回転可能に形成された操作軸７５と、この操作軸７５に固定され、一対のスライド板７３を離反させた状態で保持可能な長手形状の回転部材７６と、操作軸７５に固定されて外側に露出する操作片７７と、を備えている。
【００１３】
スライド板７３の下部には前後方向にそれぞれスライド溝７８が間隔を開けて２本直線方向に形成されており、このスライド溝７８に板状体７２に形成された突出部７０が挿入されることでスライド溝７８を所定範囲でスライド自在に支持している。そしてスライド板７３の上部には突出部７０が挿入される１本のスライド溝７８と鉤状に形成されたロック片７９が形成されており、一対のスライド板７３がコイルばね７４の付勢力に抗して互いに離反しているときには、ロック片７９は板状体７２に重なって隠れるとともに切り欠き７１の上方を開口させ、一対のスライド板７３がコイルばね７４の作用により互いに当接しているときには、ロック片７９は板状体７２の切り欠き７１を閉じるように切り欠き７１の上端に突出して配置される。
【００１４】
移動用椅子フレーム２を前側フレーム３に固定する際には、図４、図５（Ａ）、及び図６（Ａ）に示すように、操作片７７を操作してスライド板７３を互いに離反する状態に保持する。すなわち、操作片７７を回転させて、回転部材７６の長手方向が前後方向に向くように保持することにより、回転部材７６がスペーサとなって一対のスライド板７３がコイルばね７４の付勢に抗して互いに離反した状態に保持される。このとき前述のように切り欠き７１は開口している。そして、次に、図示しない電動ウインチ等を用いて、図５（Ｃ）及び図７に示すように移動用椅子フレーム２をその着座部フレーム２２に形成される突起２６が固定機構７の切り欠き７１に差し込まれるように支持フレーム３３に上側から載置する。このとき、移動用椅子フレーム２に人を座らせたまま移動用椅子フレーム２を移動させてもよく、また、人を乗せない状態で移動させてもよい。
【００１５】
移動用椅子フレーム２を支持フレーム３３上に載置し終わると、次に操作片７７を９０度回転させる。これによって、図５（Ｂ）、図６（Ｂ）、及び図８に示すように、回転部材７６も回転されその長手方向が上下方向を向くように保持される。一対のスライド板７３はその間に挟まっていた回転部材７６が回転されたことにより互いの接近方向に障害がなくなり、それぞれを接近方向に付勢しているコイルばね７４により、スライド板７３同士が互いに当接するまでスライドする。そして、前記のようにスライド板７３の上部には鉤状のロック片７９が形成されているので、図５（Ｄ）及び図８に示すように、ロック片７９が切り欠き７１を閉じるように切り欠き７１の上端に移動するので、切り欠き７１に挿入されている突起２６が切り欠き７１内に閉じられる。
【００１６】
このように本実施形態の固定機構７によると、極めて簡単且つ確実に突起２６を切り欠き７１内に閉じて固定することができ、従って移動用椅子フレーム２を支持フレーム３３に確実に固定することができる。
【００１７】
後側フレーム４は、図３に示すように、下部に一対の後輪４１が固定されており、この後輪４１の上側にバッテリーやモーターを内蔵した制御ボックス４２が取付けられて後輪４１を駆動している。そして後側フレーム４の後部には、上方に向かって延びて形成されており、上端が後方に向けて差し出されるグリップ４３が形成された背柱部４４が設けられている。
【００１８】
連結部５は、図９及び図１０に示すように、後側フレーム４に固定される断面Ｃ字状に形成された外嵌部材５０と、前側フレーム３に固定され、外嵌部材５０にスライド自在に嵌挿される内挿部材５１と、図示しないが内挿部材５１を外嵌部材５０の挿入方向及び抜出方向にスライドさせる長さ調整部材とを具備している。内挿部材５１は内蔵されている複数のボール５２が回転することにより、外嵌部材５０に挿入したときにスムーズにスライドすることができる。長さ調整部材により内装部材５１と外嵌部材５０とにより構成される連結部５の長さを伸縮することができ、その結果、前輪３１と後輪４１との距離を伸縮することができ、例えば図９に示すような坂道でも走行安定性を保って走行することができる。
【００１９】
なお、本発明の実施の形態は上述の形態に限ることなく、本発明の思想の範囲を逸脱しない範囲で適宜変更することができることは云うまでもない。
【００２０】
本実施形態の介護車１は前側フレーム３と後側フレーム４とが連結部５により連結されて、前輪３１と後輪４１との間の距離を調整することができるものであるが、本発明の介護車１はこのような構成でなくともよく、前側フレーム３と後側フレーム４とが本体フレームとして一体形成されていてもよい。
【産業上の利用可能性】
【００２１】
本発明に係る介護車１は、例えば介護に用いる介護車１として好適に用いることができる。
【符号の説明】
【００２２】
１      介護車
２      移動椅子フレーム
７      固定機構
１０    本体フレーム
２１    背凭れフレーム
２２    着座部フレーム
２３    サイドフレーム
３３    支持フレーム
４３    グリップ
４４    背柱部
７１    切り欠き
７７    操作片（操作部）
７９    ロック片
【図１】
0005812252.tif 000002
【図２】
0005812252.tif 000003
【図３】
0005812252.tif 000004
【図４】
0005812252.tif 000005
【図５】
0005812252.tif 000006
【図６】
0005812252.tif 000007
【図７】
0005812252.tif 000008
【図８】
0005812252.tif 000009
【図９】
0005812252.tif 000010
【図１０】
0005812252.tif 000011